(57)【要約】【課題】物があたるなどして意図せずに結合が解除されることを起こり難くくした管継手を提供する。【解決手段】雄部１０に設けられた突起部１６を回避するように解除部３０の切り欠き部３３の位置を調節しなければ、解除部３０を解除位置の方向に押しても解除部３０が突起部１６に当たって移動せず、雄部１０と雌部３０との結合を解除できない。従って、解除部３０に物や手があたるなどして意図せずに結合が解除されてしまう事態を生じ難くすることができる。【選択図】図１
0003183336.tif 000002
【実用新案登録請求の範囲】
【請求項１】
筒状の端部を有する雄部と、
前記雄部の前記端部を挿入可能な開口部を有する雌部と、
前記雄部と前記雌部との結合を解除する解除部とを具備し、
前記雄部は、前記端部の外面に設けられ、前記端部の縁へ近づく方向に向かって立ち上がった段差部を有し、
前記雌部は、前記開口部の内面に設けられ、前記開口部を狭める方向に付勢され、前記開口部へ前記端部を挿入した場合に、前記開口部から抜け出る方向への前記端部の移動を規制するように前記段差部を係止する突出片を有し、
前記解除部は、前記雄部の前記端部の外面に移動可能に装着され、前記突出片が前記段差部を係止している状態で前記段差部に向かって移動させると、前記突出片を前記開口部の内面方向に押し戻して当該係止を解除する筒状体を有し、
前記雄部は、前記端部の外面に設けられ、前記突出片による前記段差部の係止を解除する解除位置への前記筒状体の移動を規制するように前記筒状体を係止する突起部を有し、
前記筒状体は、前記筒状体が前記解除位置へ移動できるように前記突起部との接触を避ける接触回避部を有する、
管継手。
【請求項２】
前記解除部は、前記段差部と反対側の前記筒状体の縁の一部に設けられた鍔部を有する、
請求項１に記載の管継手。
【請求項３】
前記解除部は、前記筒状体の中心軸に対して対称な位置に設けられた２つの前記鍔部を有する、
請求項２に記載の管継手。
【請求項４】
前記接触回避部は、前記段差部に面する前記筒状体の縁の一部に形成された切り欠き部を含む、
請求項１乃至３の何れか一項に記載の管継手。
【請求項５】
前記雄部の前記端部は、
縁側に設けられた大径部と、
前記大径部に連なって設けられた小径部と
を有し、
前記段差部は、前記大径部と前記小径部との境界に形成され、
前記突起部は、前記小径部の外面に設けられる、
請求項１乃至４の何れか一項に記載の管継手。
【考案の詳細な説明】
【技術分野】
【０００１】
本考案は、簡易な操作で結合・分離できる管継手に係り、特に、物とぶつかるなどして意図せずに結合が解除されてしまうことが起こり難くなるように構成された管継手に関する。
【背景技術】
【０００２】
簡易な操作で結合・分離できる管継手として、一般に「町野式」と称される継手が知られている（下記特許文献１を参照）。町野式の管継手は、雄部と雌部から構成されており、雄部の先端を雌部の開口部へ挿入すると、雌部の内面に設けられた突出片が雄部の先端に設けられた段差を係止して、雄部が抜け止めされる構造となっている。
【０００３】
突出片は、雌部の内面に設けられた穴から出入自在に突出しており、穴の奥に配された板ばねによって雌部の径方向内側に付勢されている。また突出片は、雄部の挿入方向に向かって立ち上がった斜面を有しており、雄部の先端を突出片の斜面に当てながら挿入すると、突出片は雌部内面の穴へ押し戻される。突出片の先端が雄部の段差を超えるまで雄部を雌部に挿入すると、穴の中に押し戻されていた突出片が再び雌部の内側に突出して、雄部の段差を係止する。
【先行技術文献】
【特許文献】
【０００４】
【特許文献１】特開平０９−２８０４５２号公報
【考案の概要】
【考案が解決しようとする課題】
【０００５】
町野式の管継手の結合を解除する場合は、雄部の外周に移動自在に設けられた筒状の部材（押し輪）を使用する。すなわち、押し輪を雄部の段差に当接するまで雌部の開口部に挿入させ、雌部の内面に突き出ている突出片を穴の中に押し込めることにより、突出片と段差との係止を解除し、雄部を雌部から容易に引き抜くことが可能となる。
一般に雄部の押し輪は、作業者が手で容易に操作できるようにするため、縁の部分にリング状の鍔を備えている。
【０００６】
このように、従来の町野式の管継手は、押し輪の操作によって簡単に結合を解除できる便利なものであるが、その反面、押し輪の鍔に物や手が触れた場合などにおいて、意図せずに結合が解除されることがあるという問題もある。
【０００７】
本考案は係る事情に鑑みてなされたものであり、その目的は、物があたるなどして意図せずに結合が解除されることを起こり難くくした管継手を提供することにある。
【課題を解決するための手段】
【０００８】
本考案に係る管継手は、筒状の端部を有する雄部と、前記雄部の前記端部を挿入可能な開口部を有する雌部と、前記雄部と前記雌部との結合を解除する解除部とを具備する。前記雄部は、前記端部の外面に設けられ、前記端部の縁へ近づく方向に向かって立ち上がった段差部を有する。前記雌部は、前記開口部の内面に設けられ、前記開口部を狭める方向に付勢され、前記開口部へ前記端部を挿入した場合に、前記開口部から抜け出る方向への前記端部の移動を規制するように前記段差部を係止する突出片を有する。前記解除部は、前記雄部の前記端部の外面に移動可能に装着され、前記突出片が前記段差部を係止している状態で前記段差部に向かって移動させると、前記突出片を前記開口部の内面方向に押し戻して当該係止を解除する筒状体を有する。前記雄部は、前記端部の外面に設けられ、前記突出片による前記段差部の係止を解除する解除位置への前記筒状体の移動を規制するように前記筒状体を係止する突起部を有する。前記筒状体は、前記筒状体が前記解除位置へ移動できるように前記突起部との接触を避ける接触回避部を有する。
【０００９】
好適に、前記解除部は、前記段差部と反対側の前記筒状体の縁の一部に設けられた鍔部を有する。例えば、前記解除部は、前記筒状体の中心軸に対して対称な位置に設けられた２つの前記鍔部を有してよい。
【００１０】
好適に、前記接触回避部は、前記段差部に面する前記筒状体の縁の一部に形成された切り欠き部を含む。
例えば、前記雄部の前記端部は、縁側に設けられた大径部と、前記大径部に連なって設けられた小径部とを有してよい。この場合、前記段差部は、前記大径部と前記小径部との境界に形成されてよく、前記突起部は、前記小径部の外面に設けられてよい。
【考案の効果】
【００１１】
本考案によれば、物があたるなどして意図せずに結合が解除される事態を起こり難くくすることができる。
【図面の簡単な説明】
【００１２】
【図１】本考案の実施形態に係る管継手の例を示す図である。
【図２】図１に示す管継手における雄部を示す図である。
【図３】雄部に装着された解除部を示す図であり、解除部が突起部によって係止された状態を示す。
【図４】雄部に装着された解除部を示す図であり、解除部が突起部を回避して解除位置に移動した状態を示す。
【図５】雄部と雌部が結合された状態を示す断面図である。
【図６】雄部と雌部の結合が解除された状態を示す断面図である。
【図７】本考案の他の実施形態に係る管継手の解除部の例を示す図である。
【００１３】
以下、本考案に係る管継手について図面を参照して説明する。
本考案に係る管継手は、雄部１０を雌部２０に挿入するだけの操作で雄部１０と雌部２０を簡単に結合でき、また、雄部１０の外面に装着された解除部３０を所定の解除位置へ移動させることによって、雄部１０と雌部２０の結合を簡単に解除できる。ただし、雄部１０の外面には、解除部３０が所定の解除位置へ移動することを規制する突起部１６が設けられているため、解除部３０を解除位置に向かって押しただけでは、結合を解除することができない。解除部３０を解除位置に移動させるには、解除部３０に設けた切り欠き部３３が突起部１６を回避するように、解除部３０の周方向の位置を調節する必要がある。そのため、解除部３０に物や手があたるなどして意図せずに結合が解除されてしまう事態が起こり難くなっている。
【００１４】
図１は、本実施形態に係る管継手の一例を示す図である。
図２は、図１に示す管継手における雄部１０の例を示す図である。
図３，図４は、雄部１０に装着された解除部３０を示す図である。図２は、解除部３０が突起部１６によって係止された状態を示し、図３は、解除部３０が突起部１６を回避して解除位置に移動した状態を示す。
図５，図６は、図１に示す管継手の断面図の一例である。図５は雄部１０と雌部２０が結合された状態を示し、図６は雄部１０と雌部２０の結合が解除された状態を示す。
【００１５】
上図に示した管継手は、筒状に形成された雄部１０と、この雄部１０の端部を挿入可能な開口部２１を有する雌部２０と、雄部１０と雌部２０の結合を解除する解除部３０を有する。
【００１６】
雄部１０は、一方の端部１４にタケノコ状の凹凸が設けられており、他方の端部１３に段差部１５が設けられている。端部１４は図示しない管（ホース等）に挿入され、端部１３は雌部２０の開口部２１に挿入される。端部１３の縁には、比較的径が大きい大径部１２が設けられており、その大径部１２に連なって、比較的径が小さい小径部１１が設けられている。大径部１２と小径部１１の境目には、段差部１５が形成される。段差部１５は、端部１３の縁へ近づく方向に向かって立ち上がっている。
【００１７】
解除部３０は、雄部１０の端部１３の外面に移動可能に装着された筒状体３１を有する。筒状体３１は、端部１３の小径部１１に装着されており、図４に示すように、段差部１５と接触する位置（解除位置）まで移動させることが可能である。筒状体３１の外径は大径部１２とほぼ等しいため、筒状体３１をこの解除位置まで移動させると、雄部１０の端部１３は段差部１５がない場合と同様の形状になる。雄部１０と雌部２０の結合は、筒状体３１を解除位置まで移動させることによって解除される。
【００１８】
小径部１１の外面には、突起部１６が形成される。突起部１６は、筒状体３１と段差部１５との間に位置する。筒状体３１を解除位置（段差部１５と接触する位置）まで移動させようとしても、筒状体３１の縁が突起部１６に当たるため、解除位置への移動は規制される。
【００１９】
他方、筒状体３１は、突起部１６との接触を避ける接触回避部を有する。接触回避部は、筒状体３１が解除位置まで移動できるようにするためのものであり、上図の例では、段差部１５に面する筒状体３１の縁の一部に、接触回避部としての切り欠き部３３が形成される。切り欠き部３３と突起部１５が筒状体３１の移動方向において並んだ状態となるように筒状体３１の周方向の位置を調節した上で、筒状体３１を段差部１５に向かって移動させると、突起部１５は切り欠き部３３の中に進入するため、筒状体３１は突起部１５によって係止されることなく解除位置に到達することができる（図４）。
【００２０】
段差部１５と反対側の筒状体３１の縁には、全周にわたってリング状に突出した鍔３２が形成される。鍔３２は、解除部３０を手で移動させる際に使用される。
【００２１】
解除部３０が装着される小径部１１の外面には、リング状の溝１７が形成され、この溝１７に止め輪５が嵌着される。止め輪５は、解除部３０が雄部１０から抜けないようにするためのものであり、鍔３２側の筒状体３１の縁に当たってその移動を規制する。
【００２２】
雌部２０の開口部２１の内面には、開口部２１を狭める方向に付勢された複数の突出片２５が設けられている（図１）。突出片２５は、開口部２１の内面に形成された穴からそれぞれ出入自在に突出しており、穴の奥に配された板ばね２６によって開口部２１の径方向内側に付勢されている（図５，図６）。
【００２３】
突出片２５は、雄部１０の挿入方向に向かって立ち上がった斜面を有する。開口部２１に挿入された雄部１０は、突出片２５の斜面を摺動しながら挿入方向へ前進する。
【００２４】
開口部２１の奥には、雄部１０と密着するシール部材２７が設けられている。雄部１０と雌部２０が結合状態にあるとき、このシール部材２７が雄部１０と密着することによって、管内の流路が密封される。
【００２５】
開口部２１と反対側の雌部２０の端部には、雄部１０と同様なタケノコ状の凹凸が設けられており、この凹凸部に不図示の管（ホース等）が挿入される。
【００２６】
ここで、上述した構成を有する管継手における雄部１０と雌部２０の結合動作とその解除動作を説明する。
【００２７】
雄部１０と雌部２０を結合する場合は、図１，図３において示すように切り欠き部３３と突起部１６とをずらした状態で、雄部１０の端部１３を雌部２０の開口部２１に挿入する。雄部１０は突出片２５の斜面を摺動しながら挿入方向へ前進し、突出片２５は雄部１０に押されて開口部２１の内面の穴に引っ込む。突出片２５の先端が段差部１５に到達すると、開口部２１の内面の穴に引っ込んでいた突出片２５が再び突出する。これにより、突出片２５が段差部１５を係止した状態になるため、雄部１０は雌部２０から抜けなくなる（図５）。
【００２８】
雄部１０と雌部２０の結合を解除する場合は、解除部３０の移動方向において切り欠き部３３と突起部１６とが並ぶように解除部３０の周方向の位置を調節した上で、解除部３０を雌部２０の開口部２１に挿入する。解除部３０は、突起部１６と接触することなく、突出片２５の斜面を摺動しながら挿入方向へ前進する。突出片２５は、解除部３０に押されて開口部２１の内面の穴に引っ込む（図６）。これにより、突出片２５による段差部１５の係止が解除されるため、雄部１０を雌部２０から引き抜くことが可能になる。
【００２９】
以上説明したように、本実施形態に係る管継手によれば、雄部１０に設けられた突起部１６を回避するように解除部３０の切り欠き部３３の位置を調節しなければ、解除部３０を解除位置の方向に押しても解除部３０が突起部１６に当たって移動せず、雄部１０と雌部３０との結合を解除できない。従って、解除部３０に物や手があたるなどして意図せずに結合が解除されてしまう事態を生じ難くすることができる。
【００３０】
なお、本考案は上記の実施形態に限定されるものではなく、種々のバリエーションを含んでいる。
【００３１】
例えば、図１等に示す鍔３２は、筒状体３１の縁の全周にわたってリング状に突出しているが、本考案はこの例に限定されない。本考案の他の実施形態では、筒状体３１の縁の一部分に限定して鍔を設けてもよい。例えば図７に示すように、筒状体３１の中心軸に対して対称な位置に２つの鍔３２Ａ，３２Ｂを設けてもよい。このように、鍔を筒状体３１の縁の一部分に限定することで、鍔に物などが当たることによる意図しない結合の解除を生じ難くすることができる。また、筒状体３１の中心軸に対して対称な位置に鍔を設けることによって、筒状体３１の軸方向へ均等に力を加え易くなり、解除部３０の移動をスムーズに行えるようになる。
【００３２】
上述した実施形態では切り欠き部３３によって突起部１６を回避する例を挙げているが、本考案はこの例に限定されない。本考案の他の実施形態では、筒状体３１に設けた溝や窪みなどによって突起部１６との接触を回避するようにしてもよい。
【００３３】
上述した実施形態では突起部が一つであるが、本考案の他の実施形態では複数の突起部を設けてもよい。この場合、それぞれの突起部に対応する接触回避部を筒状体に設けてよい。
【符号の説明】
【００３４】
５…止め輪、１０…雄部、１１…小径部、１２…大径部、１３，１４…端部、１５…段差部、１６…突起部、１７…溝、２０…雌部、２１…開口部、２５…突出片、２６…板ばね、２７…シール部材、３０…解除部、３１…筒状体、３２，３２Ａ，３２Ｂ…鍔、３３…切り欠き部
【図１】
0003183336.tif 000003
【図２】
0003183336.tif 000004
【図３】
0003183336.tif 000005
【図４】
0003183336.tif 000006
【図５】
0003183336.tif 000007
【図６】
0003183336.tif 000008
【図７】
0003183336.tif 000009